(57)【特許請求の範囲】
【請求項１】
コリメート用レンズの一方の側に第１の光ファイバと第２の光ファイバとを該レンズの中心軸に対して対称の位置に配置し、前記第１の光ファイバの伝送光に対する前記レンズの光路と、前記第２の光ファイバの伝送光に対する前記レンズの光路とが、前記レンズの他方の側において交差する位置に、前記レンズの中心軸と垂直に光学膜を配置するとともに、前記第１の光ファイバの伝送光に基づく前記光学膜の透過光の光路に対応する位置に第３の光ファイバを設け、
前記第１の光ファイバと前記第２の光ファイバとを、それぞれ前記レンズの中心軸と垂直な面上に移動可能な第１のダイと第２のダイとに固定するとともに、断面が二等辺三角形をなす三角ブロックを、その中心軸を前記レンズの中心軸と一致させて移動可能とし、且つ前記三角ブロックの傾斜面と接触させた前記第１のダイと前記第２のダイとを前記レンズの中心軸から等距離に移動可能として、前記第１の光ファイバと前記第２の光ファイバと前記レンズの中心軸からの軸方向の距離を調整可能の構成を備えた
ことを特徴とする光デバイス構造。
【請求項２】
請求項１に記載の光デバイス構造において、前記三角ブロックと前記光学膜を支持するダイとをアームにより連結して前記レンズの中心軸方向に移動可能に設けた構成を備えたことを特徴とする光デバイス構造。
【請求項３】
コリメート用レンズの一方の側に第１の光ファイバと第２の光ファイバとを該レンズの中心軸に対して対称の位置に配置するとともに、二等辺三角形の一方と他方との等辺に全反射面を形成した三角プリズムを、その中心軸を前記レンズの中心軸と一致させて設け、該三角プリズムの一方の等辺で反射した前記第１の光ファイバの伝送光に対する前記レンズの光路と、該三角プリズムの他方の等辺で反射した前記第２の光ファイバの伝送光に対する前記レンズの光路とが前記レンズの他方の側において交差する位置に前記レンズの中心軸と垂直に光学膜を配置するとともに、前記第１の光ファイバの伝送光に基づく光学膜の透過光の光路に対応する位置に第３の光ファイバを設け、
前記三角プリズムと前記レンズとの距離を調整して、前記第１の光ファイバに２成分光を伝送し、前記第２の光ファイバに前記光学膜の反射光に対応する成分光を伝送するとともに、前記第３の光ファイバに前記光学膜の透過光に対応する成分光を伝送する構成を備えた
ことを特徴とする光デバイス構造。
【請求項４】
請求項３に記載の光デバイス構造において、前記三角ブロックと前記光学膜を支持するダイとを連結して前記レンズの中心軸方向に移動可能に設けた構成を備えたことを特徴とする光デバイス構造。
【請求項５】
請求項１から４までのうちのいずれか１項に記載の光デバイス構造を備えて、異なる波長の２成分光からなる多重光のそれぞれの成分光への分離、または異なる波長の２成分光の多重光への合成を行うとともに、各成分光および／または多重光の増幅を行うことを特徴とする光増幅器。
【請求項６】
請求項１から４までのうちのいずれか１項に記載の光デバイス構造または請求項６に記載の光増幅器を備えて、異なる波長の２成分光からなる多重光のそれぞれの成分光への分離、または異なる波長の２成分光の多重光への合成を行って、該多重光および各成分光による光通信を行うことを特徴とする光通信装置。
【発明の詳細な説明】
【０００１】
【発明の属する技術分野】
本発明は、異なる波長の光の合分波を行うための光デバイス構造に関し、特に、偏光依存性が小さく、かつ小型化が可能な光合分波用の光デバイス構造に関するものである。
【０００２】
光合分波器は、２つの光路からのそれぞれ異なる波長の光を多重化して１つの光路に出力し、または１つの光路からの多重化された光を分離して、２つの光路にそれぞれ異なる波長の光を出力するものであって、波長多重方式の光通信において、異なる波長光の合成，分離を行うために必要なものである。
【０００３】
このような光合分波器は、浅い光入射角の帯域通過フィルタを波長設定用に使用でき、偏光依存性の小さい波長特性が得られるとともに、かつ小型化が可能なものであることが望ましい。
【０００４】
【従来の技術】
図６は、従来の光合分波器の構造を示したものである。光合分波器１００は、筐体１０１に対して、共通ポート１０２と、λ1 ポート１０３と、λ2 ポート１０４と、光学膜１０５とを取り付けた構造を有しており、分波器として使用する場合は、共通ポート１０２から波長λ1 とλ2 の多重光を入射したとき、λ1 ポート１０３が透過ポートになって波長λ1 の光を出射し、λ2 ポートが反射ポートになって波長λ2 の光を出射する。また合波器として用いる場合は、λ1 ポート１０３に波長λ1 の光を入射し、λ2 ポート１０４に波長λ2 の光を入射したとき、共通ポート１０２から波長λ1 とλ2 の多重光を出射する。このように可逆的に動作するものであるが、以下においては、分波器として使用した場合について説明する。
【０００５】
共通ポート１０２は、入射光を伝送する光ファイバ１１０の終端を含むフェルール１１１とレンズ１１２とを有し、光フェルール１１０から出射された光を平行光からなるコリメートビームに変換して、空間を飛ばして、光学膜１０５に入射する。λ1 ポート１０３も共通ポート１０２と同様の構造を有し、光学膜１０５からの透過光をレンズ１１３で絞り込んで、光ファイバ１１４に伝送する。またλ2 ポート１０４も共通ポート１０２と同様の構造を有し、光学膜１０５からの反射光をレンズ１１５で絞り込んで、光ファイバ１１６に伝送する。
【０００６】
光学膜１０５は、誘電体多層膜からなり、多重光をある入射角で入射したとき、透過光λ1 および反射光λ2 に対して狭帯域通過フィルタとして作用する。かつこの際、透過光の波長λ1 と入射角との関係、および反射光の波長λ2 と反射角との関係は、光学膜によって予め定まっているので、筐体１０１に対する光学膜１０５の傾きを定めることによって、所望の波長λ1 の光をλ1 ポート１０３から出射するとともに、λ2 ポート１０４の位置を調整して入射角と反射角の和である光路分離角θ1 を定めることによって、λ2 ポート１０４から波長λ2 の光を出射することができ、２波長の帯域通過フィルタ特性を有する分波器として動作する。
【０００７】
【発明が解決しようとする課題】
次世代光通信方式の波長多重方式では、０．８〜１ｎｍ間隔で、２波以上の光信号を送受する。この際、異なる波長の光の漏洩を防止するために、狭通過域の帯域通過フィルタが使用される。
【０００８】
狭通過域の帯域通過フィルタを光学膜によって作成した場合、光学膜蒸着時の製造誤差によって、指定入射角度で指定通過波長域に一致させることは困難であって、そのため、入射角を可変にして、所望の通過波長域に調整することが必要となるが、これに伴って、光路分離角も変化する。図６において、破線で示すＡは、入射角を変えたことによって、光路分離角がθ2 に変化した場合の、反射ポートを含む光路を示している。このように光路分離角が大きくなった場合には、反射ポートの位置が変化するため、光合分波器の筐体が大型化することになる。
【０００９】
一方、誘電体多層膜からなる帯域通過フィルタである光学膜には、波長特性に偏光依存性があるが、入射角と偏光依存性とは比例関係にあるので、偏光依存性の影響を少なくするために、実際には、入射角をあまり深くすることはできない。
【００１０】
入射角が浅い場合には、光路分離角が小さく、従って共通ポートと反射ポートとの間隔をあけるためには、光路長を長くしなければならず、従ってデバイスが大型化することを避けられない。
【００１１】
本発明は、このような従来技術の課題を解決しようとするものであって、光学膜を用いた光合分波器において、波長間隔が狭い狭帯域通過フィルタを使用する場合に、光入射角を浅くし偏光依存性を小さくしても、デバイスを小型化することが可能な、光デバイス構造を提案することを目的としている。
【００１２】
【課題を解決するための手段】
本発明は、コリメート用レンズの一方の側に第１の光ファイバと第２の光ファイバとを該レンズの中心軸に対して対称の位置に配置し、前記第１の光ファイバの伝送光に対する前記レンズの光路と、前記第２の光ファイバの伝送光に対する前記レンズの光路とが、前記レンズの他方の側において交差する位置に、前記レンズの中心軸と垂直に光学膜を配置するとともに、前記第１の光ファイバの伝送光に基づく前記光学膜の透過光の光路に対応する位置に第３の光ファイバを設け、前記第１の光ファイバと前記第２の光ファイバとを、それぞれ前記レンズの中心軸と垂直な面上に移動可能な第１のダイと第２のダイとに固定するとともに、断面が二等辺三角形をなす三角ブロックを、その中心軸を前記レンズの中心軸と一致させて移動可能とし、且つ前記三角ブロックの傾斜面と接触させた前記第１のダイと前記第２のダイとを前記レンズの中心軸から等距離に移動可能として、前記第１の光ファイバと前記第２の光ファイバと前記レンズの中心軸からの軸方向の距離を調整可能の構成を備えたことを特徴とし、合波器又は分波器として作用させることができるもので、以下図１について分波器の場合を説明する。
【００１３】
図１において、１は共通ポートとなる光ファイバ、２はコリメート用のレンズ、３は光学膜、４は集光用のレンズ、５はλ1 ポートとなる光ファイバ、６はλ2 ポートとなる光ファイバである。
【００１４】
光ファイバ１からの波長λ1 とλ2 の多重光を、レンズ２でコリメートビームに変換して空間を飛ばして、光学膜３を透過した波長λ1 の光を、レンズ４で集光して、光ファイバ５を経て取り出すとともに、光学膜３で反射した波長λ2 の光を、レンズ２で集光して、光ファイバ６を経て取り出すことによって、分波器として作用する。
【００１５】
この際、光ファイバ１をレンズ２の中心軸と平行に移動させると、レンズ２からの出射光の出射角も変化する。この場合、出射角はレンズ２の中心軸と光ファイバ１との距離で定まるため、光ファイバ１を移動させることによって、レンズ２からの出射角を調整することができる。そこで、レンズ２の中心軸に対して、垂直に光学膜３を固定配置すれば、レンズ２の出射角と、光学膜３への入射角とを等しくすることができる。
【００１６】
さらに、光ファイバ６をレンズ２の中心軸に対して光ファイバ１と対照な位置に配置すれば、光ファイバ６に対して、光ファイバ１の入射角と等しい逆の出射角を持つので、光ファイバ１の光路と、光ファイバ６の光路とは、それぞれの出射角で決定される位置で交差する。そこで、この交差位置にレンズ２の中心軸と垂直に光学膜３を配置すれば、反射光は、光ファイバ１と光ファイバ６を結ぶ光路を形成する。
【００１７】
従って、光ファイバ１，６のレンズ２中心軸からの距離を調整することによって、光学膜３への入射角を浅くしても、分離角を大きくできるので、透過光路と反射光路とを確保して、デバイスを小型化することができる。
【００１８】
以下、本発明の課題を解決するための具体的手段を掲げる。
【００１９】
(1) 光デバイス構造において、コリメート用レンズ２の一方の側に第１の光ファイバ１と第２の光ファイバ６とをレンズ２の中心軸に対して対称の位置に配置し、第１の光ファイバ１の伝送光に対するレンズ２の光路と、第２の光ファイバ６の伝送光に対するレンズ２の光路とが、レンズ２の他方の側において交差する位置に、レンズ２の中心軸と垂直に光学膜３を配置するとともに、第１の光ファイバ１の伝送光に基づく光学膜３の透過光の光路に対応する位置に第３の光ファイバ５を設け、第１の光ファイバ１と第２の光ファイバ６とのレンズ２の中心軸からの距離を調整することによって、第１の光ファイバ１に２成分光を伝送し、第２の光ファイバ６に光学膜３の反射光に対応する成分光を伝送するとともに、第３の光ファイバ５に光学膜３の透過光に対応する成分光を伝送する。
【００２０】
(2) (1) の場合に、第１の光ファイバ１と第２の光ファイバ６を、それぞれレンズ２の中心軸と垂直な面上に移動可能な第１のダイ１−１と第２のダイ６−１に固定するとともに、断面が二等辺三角形をなす三角ブロック７を、その中心軸をレンズ２の中心軸と一致させて移動させることによって、第１のダイ１−１と第２のダイ６−１とをレンズ２の中心軸から等距離に移動させたのち、第１のダイ１−１と第２のダイ６−１とを固定する。
【００２１】
(3) (2) の場合に、三角ブロック７と光学膜３のダイ３−１とをアーム１０によって連結して、三角ブロック７の移動に伴って光学膜３も移動するように構成する。
【００２２】
(4) 光デバイス構造において、コリメート用レンズ２の一方の側に第１の光ファイバ１と第２の光ファイバ６とをレンズ２の中心軸に対して対称の位置に配置するとともに、二等辺三角形の等辺に全反射面を有する三角プリズム９を、その中心軸をレンズ２の中心軸と一致させて設けることによって、三角プリズム９の一方の等辺で反射した、第１の光ファイバ１の伝送光に対するレンズ２の光路と、三角プリズム９の他方の等辺で反射した、第２の光ファイバ６の伝送光に対するレンズ２の光路とがレンズ２の他方の側において交差する位置にレンズ２の中心軸と垂直に光学膜３を配置するとともに、第１の光ファイバ１の伝送光に基づく光学膜２の透過光の光路に対応する位置に第３の光ファイバ５を設け、三角プリズム９とレンズ２との距離を調整することによって、第１の光ファイバ１に２成分光を伝送し、第２の光ファイバ６に光学膜３の反射光に対応する成分光を伝送するとともに、第３の光ファイバ５に光学膜３の透過光に対応する成分光を伝送する。
【００２３】
(5) (4) の場合に、三角プリズム９と光学膜３のダイ３−１とを連結して、三角プリズム９の移動に伴って光学膜３も移動するように構成する。
【００２４】
(6) 光増幅器において、(1) 〜(6) の場合の光デバイス構造を備えて、異なる波長の２成分光からなる多重光のそれぞれの成分光への分離、または異なる波長の２成分光の多重光への合成を行うとともに、各成分光および／または多重光の増幅を行う。
【００２５】
(7) 光通信装置において、(1) 〜(5) の場合の光デバイス構造または(6) の場合の光増幅器を備えて、異なる波長の２成分光からなる多重光のそれぞれの成分光への分離、または異なる波長の２成分光の多重光への合成を行って、この多重光および各成分光による光通信を行う。
【００２６】
【発明の実施の形態】
図２は、本発明の実施形態(1) を示したものであって、図１の場合と同じものを同じ番号で示している。７は、二等辺三角形の断面を有する三角ブロックであって、その頂点を含む中心軸がレンズ２の中心軸と一致して、レンズ２に対して前後に移動できるように支持されている。８は、光ファイバ１を支持するダイ１−１と光ファイバ６を支持するダイ６−１とを、その上で滑動させるためのガイドである。
【００２７】
光ファイバ１は共通ポートとなるものであって、波長λ1 とλ2 の光を伝送する。光ファイバ１はダイ１−１に接着または半田付けによって固定されていて、ダイ１−１がガイド８の面に沿って滑動することによって、レンズ２の中心軸からの距離を変化できるようになっている。また光ファイバ６はλ2 ポートとなるものであって、ダイ６−１に接着または半田付けによって固定されていて、ダイ１−１がガイド８の面に沿って滑動することによって、レンズ２の中心軸からの距離を変化できるようになっている。
【００２８】
レンズ２は、ダイ２−１の部分を筐体５０に溶接固定されていて、光ファイバ１からの出射光をコリメートビームに変換して光学膜３へ入射し、光学膜３からの反射光を光ファイバ６へ集光する。光学膜３は帯域通過フィルタとなるものであって、ダイ３−１に接着固定されている。レンズ４と光ファイバ５とは、ブロック４−１に接着固定されていて、ファイバレンズアセンブリを構成している。
【００２９】
三角ブロック７は、レンズ２の中心軸に沿ってレンズ２との距離を変化できるように構成されているとともに、ダイ１−１とダイ６−１側に等しい角度の滑らかな斜面を有している。従って、三角ブロック７をレンズ２に近づけるように移動させると、ダイ１−１とダイ６−１は、三角ブロック７の斜面に押されて、レンズ２の中心軸から等しい距離を保ちながらガイド８の面上を外側へ移動し、逆に三角ブロック７をレンズ２から遠ざけるように移動させると、ダイ１−１とダイ６−１は、それぞれバネ１−２とバネ６−２に押されて、レンズ２の中心軸から等しい距離を保ちながらガイド８の面上を内側へ移動する。三角ブロック７とガイド８とは、例えばガラスで製作し、その滑動面を研磨することが、動作を円滑にする上で望ましい。
【００３０】
三角ブロック７を移動させて、光ファイバ１，６の位置を変化させることによって、光ファイバ１からの光が、レンズ２を経て光学膜３に入射するときの入射角によって定まる波長λ1 の光を通過させ、レンズ４を経て光ファイバ５に集光する。所望の波長特性になる入射角Θ1 が得られる、光ファイバ１のレンズ２の中心軸からの距離ｄの位置で、ダイ１−１, ６−１を溶接等によって筐体５０へ固定することによって、共通ポートとなる光ファイバ１と、λ2 ポートとなる光ファイバ６の、レンズ２中心軸からの距離を定める。
【００３１】
この状態で、光学膜３からの波長λ1 の透過光が、レンズ４を経て光ファイバ５に最も効率よく結合する、ブロック４−１の位置を決定して、ファイバレンズアセンブリを筐体５０に対して固定することによって、λ1 ポートとなる光ファイバ５の位置を定める。なお、ファイバレンズアセンブリの光軸を筐体に対して固定する方法としては、例えば、同一発明者による、特開平５−１１３５２０号公報記載の「光学部材の接合ユニット」のように、ファイバレンズアセンブリと筐体側との間に、両者の少なくとも相対的な角度位置を調整可能にする球面を介在させる方法が有効である。
【００３２】
このように各部の位置を定めたとき、光学膜３から反射するコリメートビームからなる光の反射角Θ2 は、波長λ2 に対応するものとなり、波長λ2 の光は、レンズ２を経て、λ2 ポートとなる光ファイバ６に集光されるようになる。
【００３３】
このように、図２に示された実施形態の構成によって、２波分波器を実現することができる。本実施形態によれば、入射角を調整する際に、光学膜の角度を変える必要がないので、構造を簡単化できるとともに、共通ポートとなる光ファイバと、λ2 ポートとなる光ファイバとが、レンズ中心軸に対して対称に移動するので、光路分離角を大きくする場合でも、分波器筐体を小型化しやすい利点がある。なお、図２に示された構造は、２波合波器としても使用できる。
【００３４】
図３は、本発明の実施形態(2) を示したものであって、図２の場合と同じものを同じ番号で示している。９は、二等辺三角形からなる断面を有する三角プリズムであって、その二つの等辺が全反射面をなし、その頂点を含む中心軸がレンズ２の中心軸と一致して、レンズ２に対して前後に移動できるように支持されている。
【００３５】
図３において、共通ポートとなる光ファイバ１と、λ2 ポートとなる光ファイバ６は、筐体５０に対して反対側に、それぞれ接着または半田付けによって固定されている。レンズ２とダイ２−１、光学膜３とダイ３−１、およびレンズ４と光ファイバ５とブロック４−１からなるファイバレンズアセンブリの構造は、図２の場合と同様である。
【００３６】
三角プリズム９は、レンズ２の中心軸に沿ってレンズ２との距離を変化できるように構成されているとともに、光ファイバ１と光ファイバ６のそれぞれの側の斜面９−１，９−２は、等しい角度の全反射面をなし、光ファイバ１からの入射光をレンズ２の中心軸に平行に反射し、レンズ２からの中心軸に平行な出射光を、光ファイバ６に入射するようになっている。
【００３７】
従って、三角プリズム９をレンズ２に近づけるように移動させると、斜面９−１と斜面９−２における反射点は、頂点から遠ざかるように移動するので、レンズ２に対する入射光と、レンズ２からの出射光とは、レンズ２の中心軸から等しい距離を保ちながら外側へ移動し、逆に三角プリズム９をレンズ２から遠ざけるように移動させると、斜面９−１と斜面９−２における反射点は、頂点に近づくように移動するので、レンズ２に対する入射光と、レンズ２からの出射光とは、レンズ２の中心軸から等しい距離を保ちながら内側へ移動する。
【００３８】
従って、三角プリズム９を移動させることによって、光ファイバ１からの光がレンズ２を経て光学膜３に入射するとき、入射角によって定まる波長λ1 の光が光学膜３を通過して、レンズ４を経て光ファイバ５に集光するので、光ファイバ１からの光によって光学膜３において、所望の波長特性になる入射角Θ1 が得られる位置で、三角プリズム９を筐体５０へ固定することによって、共通ポートとなる光ファイバ１と、λ2 ポートとなる光ファイバ６の、レンズ２の中心軸からの距離ｄを定める。
【００３９】
この状態で、光学膜３からの波長λ1 の透過光が、レンズ４を経て光ファイバ５に最も効率よく結合する、ブロック４−１の位置を決定して、ファイバレンズアセンブリを筐体５０に対して固定することによって、λ1 ポートとなる光ファイバ５の位置を定めることは、実施形態(1) の場合と同様である。
【００４０】
このように各部の位置を定めたとき、光学膜３から反射するコリメートビームからなる光の反射角Θ2 は、波長λ2 に対応するものとなり、波長λ2 の光は、レンズ２を経て、λ2 ポートとなる光ファイバ６に集光されるようになる。以上説明したところから明らかなように、図３に示された実施形態の構成によって、２波分波器を実現することができる。合波器としても使用できることも同様である。
【００４１】
図４は、本発明の実施形態(3) を示したものであって、図２の場合と同じものを同じ番号で示している。１０は、三角ブロック７と光学膜３のダイ３−１とを一体に支持するアームであって、レンズ２の中心軸と平行に、レンズ２に対して前後に移動できるように支持されている。
【００４２】
実施形態(3) においては、図２に示された実施形態と異なり、三角ブロック７と、光学膜３のダイ３−１とは、アーム１０によって連結されて、相互の位置関係を固定されるようになっている。従って、三角ブロック７とレンズ２との距離を近づけると、光学膜３は、レンズ２から遠ざかるように移動し、三角ブロック７とレンズ２との距離を遠ざけると、光学膜３は、レンズ２に近づくように移動する。バネ１０−１は、アーム１０に対して、常にレンズ２側に近づくように復元力を与えることによって、三角ブロック７とダイ１−１，６−１との間の遊びを除去する作用を行う。
【００４３】
光学系の構成によっては、レンズ２と光学膜３との距離が小さくなると、光ファイバ１からの光に基づく入射光の光軸と、光ファイバ６へ出射する光となる反射光の光軸の交差点がレンズ２から遠ざかり、レンズ２と光学膜３との距離が大きくなると、光ファイバ１からの光に基づく入射光の光軸と、光ファイバ６へ出射する光となる反射光の光軸の交差点がレンズ２に近づく場合があるので、このようなときは、図４に示されたような構成にすることによって、入射角の調整と同時に、レンズ２と光学膜３との距離を調整することができる。
【００４４】
なお、図３に示された実施形態(2) の構成の場合も、三角プリズム９と光学膜３のダイ３−１とを機械的に連結することによって、同様に、入射角の調整と同時に、レンズ２と光学膜３との距離を調整することができる。
【００４５】
図５は、本発明の具体的構成例を示したものであって、実施形態(1) の構成を適用した場合を例示し、図２の場合と同じものを同じ番号で示している。１１はマイクロメータであって、筐体５０に対して固定されているとともに、その可動部１１−１によって、三角ブロック７のダイ７−１を、レンズ２の中心軸と平行に、レンズ２に対して前後に移動可能に支持している。
【００４６】
図５において、三角ブロック７は、ダイ７−１に固定されている。さらにダイ７−１はマイクロメータ１１の可動部１１−１によって支持されているとともに、マイクロメータ１１はダイ１１−２に固定され、かつ、ダイ１１−２は筐体５０に固定されている。
【００４７】
従って、マイクロメータ１１のつまみ１１−３を回転させて、三角ブロック７をレンズ２に近づけ、または遠ざけることによって、レンズ２からの光学膜３に対する入射角を所望の値に容易に設定することができる。この際、バネ７−２は、マイクロメータ１１によって、ダイ７−２の位置を変化させたとき、前後進の遊びをなくして、入射角の調整が円滑に行えるようにするために設けられている。入射角を設定したのちは、以後、変動を防止するために、三角ブロック７の位置は固定される。
【００４８】
本発明の光デバイス構造は、実施形態に示された２波の合分波器に限らず、これを任意の個数、カスケードに組み合わせて光路を接続するように構成することによって、任意の複数の波長の光に対する合分波器を構成することができる。このような構成にすることによって、複数の波長の光を多重する波長多重方式において、合分波する異なる波長の光を任意に変更し、または増減することができるようになる。
【００４９】
さらに本発明の光デバイス構造を光増幅器に適用することによって、異なる波長の２成分光からなる多重光のそれぞれの成分光への分離、または異なる波長の２成分光の多重光への合成を行って、この際、各成分光および／または多重光の増幅を行う光増幅器を構成することができる。
【００５０】
また、本発明の光デバイス構造または上述の光増幅器を光通信装置に適用することによって、異なる波長の２成分光からなる多重光のそれぞれの成分光への分離、または異なる波長の２成分光の多重光への合成を行って、この場合の多重光および各成分光による光通信を行う光通信装置を構成することができる。
【００５１】
【発明の効果】
以上説明したように本発明によれば、異なる波長の光の合分波を行うための光デバイス構造において、帯域通過フィルタとなる光学膜に対する入射角が浅い場合でも、多重光と、合分波する一方の光とに対する光路分離角を大きくすることが容易であって、偏光依存性を小さくしながら小型化が可能な、光合分波用の光デバイス構造を提供することができる。
【図面の簡単な説明】
【図１】本発明の原理的構成を示す図である。
【図２】本発明の実施形態(1) を示す図である。
【図３】本発明の実施形態(2) を示す図である。
【図４】本発明の実施形態(3) を示す図である。
【図５】本発明の具体的構成例を示す図である。
【図６】従来の光合分波器の構造を示す図である。
【符号の説明】
１  光ファイバ
２  レンズ
３  光学膜
５  光ファイバ
６  光ファイバ
７  三角ブロック
９  三角プリズム
１０  アーム
【図１】
0003777559.tif 000002
【図２】
0003777559.tif 000003
【図３】
0003777559.tif 000004
【図４】
0003777559.tif 000005
【図５】
0003777559.tif 000006
【図６】
0003777559.tif 000007